(57)【要約】【課題】効率的且つ効果的で柔軟なインフラ網の構築、災害等に強い街づくりを実現することが可能になるとともに、街の再開発計画などを容易にでき、将来的な街利用の利便性の向上を図ることが可能な街構造を提供する。【解決手段】街領域１、２、３を縦断及び／又は横断する大通り領域４を設けるとともに、大通り領域４の地上及び／又は地下に、少なくとも電力とガスを供給するためのエネルギープラント施設とライフライン基幹設備とを設ける。そして、大通り領域４と大通り領域４以外の市街地領域１３との間でインフラ網を構築する。【選択図】図１
2019075042.tif 000002
【特許請求の範囲】
【請求項１】
街領域を縦断及び／又は横断する大通り領域が設けられるとともに、
前記大通り領域の地上及び／又は地下に、少なくとも電力とガスを供給するためのエネルギープラント施設とライフライン基幹設備とが設けられ、
前記大通り領域と前記大通り領域以外の市街地領域との間でインフラ網が構築されていることを特徴とする街構造。
【請求項２】
請求項１記載の街構造において、
前記街領域が複数設けられ、
隣り合う前記街領域の前記大通り領域及び前記ライフライン基幹設備が接続され、
前記複数の街領域の間にインフラ連携網が形成されていることを特徴とする街構造。
【請求項３】
請求項１または請求項２に記載の街構造において、
前記市街地領域で生成したエネルギーを前記エネルギープラント施設に供給可能なインフラ網が構築され、
前記大通り領域と前記市街地領域との間にエネルギー循環網が形成されていることを特徴とする街構造。
【発明の詳細な説明】
【技術分野】
【０００１】
本発明は、街の構造に関する。
【背景技術】
【０００２】
都市部の再開発などでは、将来的な観点から街の再生計画を立案し、例えば、主要道路の地下に共同溝を設け、共同溝内に電線、通信線、上下水管、ガス管などのライフライン設備を設置することによって美観やメンテナンス性の向上を図るなどしている（例えば、特許文献１参照）。
【先行技術文献】
【特許文献】
【０００３】
【特許文献１】特開２００４−３３２５１３号公報
【発明の概要】
【発明が解決しようとする課題】
【０００４】
一方、都市部の再開発などが小規模な領域ごとに個別に行われるなどして、大きな街全体としての道路、電力、通信、上下水、ガスなどのインフラ網が小さく複雑化してしまい、将来的な街利用、用途変更、災害時の対応等に支障をきたすケースがある。
【０００５】
本発明は、上記事情に鑑み、効率的且つ効果的で柔軟なインフラ網の構築、災害等に強い街づくりを実現することが可能になるとともに、街の再開発計画などを容易にでき、将来的な街利用の利便性の向上を図ることが可能な街構造を提供することを目的とする。
【課題を解決するための手段】
【０００６】
上記の目的を達するために、この発明は以下の手段を提供している。
【０００７】
本発明の街構造は、街領域を縦断及び／又は横断する大通り領域が設けられるとともに、前記大通り領域の地上及び／又は地下に、少なくとも電力とガスを供給するためのエネルギープラント施設とライフライン基幹設備とが設けられ、前記大通り領域と前記大通り領域以外の市街地領域との間でインフラ網が構築されていることを特徴とする。
【０００８】
また、本発明の街構造においては、前記街領域が複数設けられ、隣り合う前記街領域の前記大通り領域及び前記ライフライン基幹設備が接続され、前記複数の街領域の間にインフラ連携網が形成されていることが望ましい。
【０００９】
さらに、本発明の街構造においては、前記市街地領域で生成したエネルギーを前記エネルギープラント施設に供給可能なインフラ網が構築され、前記大通り領域と前記市街地領域との間にエネルギー循環網が形成されていることがより望ましい。
【発明の効果】
【００１０】
本発明の街構造においては、効率的且つ効果的で柔軟なインフラ網の構築、災害等に強い街づくりを実現することが可能になるとともに、街の再開発計画などを容易にでき、将来的な街利用の利便性の向上を図ることが可能になる。
【図面の簡単な説明】
【００１１】
【図１】本発明の一実施形態に係る街構造を示す図である。
【図２】本発明の一実施形態に係る街構造を示す図である。
【発明を実施するための形態】
【００１２】
以下、図１及び図２を参照し、本発明の一実施形態に係る街構造について説明する。ここで、本実施形態は、例えば、都市部の再開発などに適用して好適な街構造に関するものである。
【００１３】
本実施形態の街構造Ａは、図１及び図２に示すように、予め定められた街領域（ゾーンＩ、ゾーンＩＩ、ゾーンＩＩＩ）１、２、３を縦断及び／又は横断するように大通り領域４を設けて構成されている。
【００１４】
なお、本実施形態における「大通り領域４」は、特殊公園や１００ｍ道路を備えて街の東西、南北などに延びる札幌市の大通公園、名古屋市、広島市の若宮大通、久屋大通、平和大通のような領域を意味する。大通り領域４は、地上に、公園を設けたり、公園の建築物、記念碑、モニュメントを設置するなどし、街のシンボル、街の座標軸的な役割をもつように構成することが好ましい。
【００１５】
本実施形態の街構造Ａにおいては、大通り領域４の地上（あるいは地下）に、街領域１、２、３にガスや電力、水等を供給するためのエネルギープラント施設５が設けられている。また、大通り領域４には、地下に共同溝が設けられ、共同溝を通じてエネルギープラント施設５からガス管、電線、通信線、上水管、下水管等のライフライン基幹設備（インフラ設備）６が大通り領域４に沿って延設されている。
【００１６】
エネルギープラント施設５は、例えば、外部から電力やガスの供給を受けて街領域１、２、３に好適に供給するだけでなく、コージェネレーションシステム７を備え、海水や河川水８、地下水９などを利用して電力、温水、空調用冷暖房媒体等を独自に生成し、街領域１、２、３のエネルギーを賄うように構成されていることが好ましい。なお、エネルギープラント施設５は、水処理設備を備え、上水処理、下水処理が行えるように構成してもよい。
【００１７】
大通り領域４には、地下に、例えば、貯水槽１０、貯油槽１１、排水槽１２、備蓄槽など（インフラ設備）が設けられ、平常時や非常時に、水や油、食糧、防災用品、下水／排水等を供給、受け入れ可能に構成されている。
【００１８】
そして、大通り領域４のライフライン基幹設備６から、街領域１、２、３の大通り領域４以外の市街地領域（商業施設や住戸、緑地、水辺等がある大通り領域に隣接する領域）１３にライフラインを分岐して延ばしてインフラ網を構築し、エネルギープラント施設５から電力、ガス、上水、下水、冷暖房媒体、通信等を供排できるように構成されている。
【００１９】
本実施形態の街構造Ａにおいては、太陽光発電１４などによって市街地領域１３の住戸等で生成した電力等のエネルギーを、大通り領域４のインフラ設備（６、１０〜１１）を通じてエネルギープラント施設５に供給可能に構成されている。すなわち、大通り領域４のエネルギープラント施設５と、市街地領域１３の住戸等との間で小さなエネルギー循環が行えるように構成されている。
【００２０】
一方、本実施形態の街構造Ａにおいて、上記の通り、予め定められた街領域１、２、３は、大通り領域４が街領域１、２、３を縦断及び／又は横断し、例えば、街領域１、２、３の一の外周端から他の外周端まで延設されている。
【００２１】
このため、一つの街領域（ゾーンＩ）１の周囲に他の街領域（ゾーンＩＩ）２、さらに他の街領域（ゾーンＩＩＩ、・・・・）３を拡大／増設するような場合には、他の街領域（ゾーンＩＩ、ゾーンＩＩＩ、・・・・）２、３を、ゾーンＩの街領域１と同様に大通り領域４、エネルギープラント施設（サブエネルギープラント施設）５等を備えて構築し、隣り合う街領域１、２、３の大通り領域（ライフライン基幹設備等のインフラ設備）４同士を接続可能に構成する。
【００２２】
これにより、隣り合う街領域１、２、３の間で、電力、ガス、上水、下水、冷暖房媒体、通信等を供排でき、エネルギー供給等を連携して行うことが可能なインフラ連携網が形成される。すなわち、隣り合う街領域１、２、３の大通り領域（ライフライン基幹設備等のインフラ設備）４同士を接続可能に構成することによって、隣り合う街領域１、２、３の間で大きなエネルギー循環が行える。
【００２３】
したがって、本実施形態の街構造Ａにおいては、予め定められた街領域１、２、３に、縦断及び／又は横断する大通り領域４を設け、大通り領域４にエネルギープラント施設５、ライフライン基幹設備６等のインフラ設備を設けることにより、大通り領域４以外の市街地領域１３に対してインフラ網を効率的且つ効果的に構築することが可能になる。すなわち、ライフライン基幹設備６等のインフラ設備が大通り領域４に沿って設置されるため、ライフライン設備の設置や分岐等の作業を効率的に行うことができ、街計画を円滑に進めることが可能になる。
【００２４】
また、太陽光発電１４などによって市街地領域１３で生成したエネルギーをエネルギープラント施設５に効率的に供給することもでき、大通り領域４のエネルギープラント施設５と、市街地領域１３の住戸等との間で小さなエネルギー循環網を構築することができる。
【００２５】
さらに、一つの街領域（ゾーンＩ）１の周囲に他の街領域（ゾーンＩＩ）２、さらに他の街領域（ゾーンＩＩＩ、・・・・）３を拡大／増設するような場合や、隣り合う街領域１、２、３の大通り領域（ライフライン基幹設備等のインフラ設備）４同士を接続することにより、隣り合う街領域１、２、３の間で、電力、ガス、上水、下水、冷暖房媒体、通信等を供排でき、例えば、非常時等でエネルギー供給が不足した街領域１、２、３に、他の街領域１、２、３からエネルギーを供給できる。すなわち、複数の街領域１、２、３でエネルギーの給排等を連携して行うことが可能になる。
【００２６】
言い換えれば、都市の再開発の工区分けによって開発時期が異なる複数の街領域１、２、３や、用途が異なる複数の街領域１、２、３がある場合、街領域１、２、３の拡大を行う場合などにおいて、隣接する街領域１、２、３のライフライン基幹設備６等を接続し、効率的且つ効果的にインフラ設備の拡充計画、連携計画を立てることができ、柔軟に対応することが可能になる。
【００２７】
よって、本実施形態の街構造Ａによれば、効率的且つ効果的で柔軟なインフラ網の構築、災害等に強い街づくりを実現することが可能になるとともに、街の再開発計画などを容易にでき、将来的な街利用の利便性の向上を図ることが可能になる。
【００２８】
以上、本発明に係る街構造の一実施形態について説明したが、本発明は上記の一実施形態に限定されるものではなく、その趣旨を逸脱しない範囲で適宜変更可能である。
【符号の説明】
【００２９】
１    街領域
２    街領域
３    街領域
４    大通り領域
５    エネルギープラント施設
６    ライフライン基幹設備
７    コージェネレーションシステム
８    海水や河川水
９    地下水
１０  貯水槽
１１  貯油槽
１２  排水槽
１３  市街地領域
１４  太陽光発電
Ａ    街構造
【図１】
2019075042.tif 000003
【図２】
2019075042.tif 000004